(57)【要約】【課題】    本発明の目的は、長期の使用に耐えることができるペット用ベッドを提供するものである。【解決手段】    ペット用ベッドＢは、藁、い草、縄等の素材を複数本束ねた底部構成体１０の外周全体を底部覆い体１１で覆うと共に、底部覆い体１１で覆った底部構成体１０を渦巻き状にして底部１を形成し、藁、い草、縄等の素材を複数本束ねた天井部構成体２０の外周全体を天井部覆い体２１で覆うと共に、天井部覆い体２１で覆った天井部構成体２０を渦巻き状にして天井部２を形成し、藁、い草、縄等の素材を複数本束ねた側壁部構成体３０の外周全体を側壁部覆い体３１で覆うと共に、側壁部覆い体３１で覆った側壁部構成体３０を積層状にして側壁部３を形成しているものである。【選択図】図１
2015146794.tif 000002
【特許請求の範囲】
【請求項１】
底部と、天井部と、この天井部と前記底部との間に位置し、ペットの出入り口を有する側壁部とを有するペット用ベッドであって、
藁、い草、縄等の素材を複数本束ねた底部構成体の外周を底部覆い体で覆うと共に、前記底部覆い体で覆った前記底部構成体を渦巻き状にして前記底部を形成し、
藁、い草、縄等の素材を複数本束ねた天井部構成体の外周を天井部覆い体で覆うと共に、前記天井部覆い体で覆った前記天井部構成体を渦巻き状にして前記天井部を形成し、
藁、い草、縄等の素材を複数本束ねた側壁部構成体の外周を側壁部覆い体で覆うと共に、前記側壁部覆い体で覆った前記側壁部構成体を積層状にして前記側壁部を形成し、
前記底部覆い体、前記天井部覆い体、前記側壁部覆い体は、外部にそれぞれ位置している
ことを特徴とするペット用ベッド。
【請求項２】
底部と、天井部と、この天井部と前記底部との間に位置し、ペットの出入り口を有する側壁部とを有するペット用ベッドであって、
藁、い草、縄等の素材を複数本束ねた底部構成体の外周全体を底部覆い体で覆うと共に、前記底部覆い体で覆った前記底部構成体を渦巻き状にして前記底部を形成し、
藁、い草、縄等の素材を複数本束ねた天井部構成体の外周全体を天井部覆い体で覆うと共に、前記天井部覆い体で覆った前記天井部構成体を渦巻き状にして前記天井部を形成し、
藁、い草、縄等の素材を複数本束ねた側壁部構成体の外周全体を側壁部覆い体で覆うと共に、前記側壁部覆い体で覆った前記側壁部構成体を積層状にして前記側壁部を形成している
ことを特徴とするペット用ベッド。
【請求項３】
底部と側壁部が分離自在な構成であり、
前記底部と前記側壁部とを連結手段で着脱自在に連結し、
前記連結手段を解除して、前記底部の上面をペットの待機場所として利用する
ことを特徴とする請求項１又は請求項２記載のペット用ベッド。
【請求項４】
側壁部の出入り口に臨む前記側壁部を構成する複数本束ねた端面を出入り口覆い体で覆う
ことを特徴とする請求項１又は請求項２記載のペット用ベッド。
【発明の詳細な説明】
【技術分野】
【０００１】
本発明は、ペット用ベッドに係り、特に、長期の使用に耐えることができるペット用ベッドに関する。
【背景技術】
【０００２】
従来、例えば、稲藁で編んだ籠状の猫が入る「猫ちぐら」と称されるものがある。
【発明の開示】
【発明が解決しようとする課題】
【０００３】
ところが、「猫ちぐら」と称されるものにあっては、稲藁の素材を複数本束ねたもので、素材がむき出しの状態であるため、液体がかかると、稲藁の素材の隙間に直接液体が浸透したり、また、犬、猫等のペットにより、稲藁の素材が傷を付けられやすく長期の使用に耐えることができないという問題点があった。
【０００４】
本発明は、上記の問題点を除去するようにした長期の使用に耐えることができるペット用ベッドを提供することを目的とする。
【課題を解決するための手段】
【０００５】
本発明のペット用ベッドは、底部と、天井部と、この天井部と前記底部との間に位置し、ペットの出入り口を有する側壁部とを有するペット用ベッドであって、藁、い草、縄等の素材を複数本束ねた底部構成体の外周を底部覆い体で覆うと共に、前記底部覆い体で覆った前記底部構成体を渦巻き状にして前記底部を形成し、藁、い草、縄等の素材を複数本束ねた天井部構成体の外周を天井部覆い体で覆うと共に、前記天井部覆い体で覆った前記天井部構成体を渦巻き状にして前記天井部を形成し、藁、い草、縄等の素材を複数本束ねた側壁部構成体の外周を側壁部覆い体で覆うと共に、前記側壁部覆い体で覆った前記側壁部構成体を積層状にして前記側壁部を形成し、前記底部覆い体、前記天井部覆い体、前記側壁部覆い体は、外部にそれぞれ位置しているものである。
【０００６】
また、請求項２記載のペット用ベッドは、底部と、天井部と、この天井部と前記底部との間に位置し、ペットの出入り口を有する側壁部とを有するペット用ベッドであって、藁、い草、縄等の素材を複数本束ねた底部構成体の外周全体を底部覆い体で覆うと共に、前記底部覆い体で覆った前記底部構成体を渦巻き状にして前記底部を形成し、藁、い草、縄等の素材を複数本束ねた天井部構成体の外周全体を天井部覆い体で覆うと共に、前記天井部覆い体で覆った前記天井部構成体を渦巻き状にして前記天井部を形成し、藁、い草、縄等の素材を複数本束ねた側壁部構成体の外周全体を側壁部覆い体で覆うと共に、前記側壁部覆い体で覆った前記側壁部構成体を積層状にして前記側壁部を形成しているものである。
【０００７】
また、請求項３記載のペット用ベッドは、請求項１又は請求項２記載のペット用ベッドにおいて、底部と側壁部が分離自在な構成であり、前記底部と前記側壁部とを連結手段で着脱自在に連結し、前記連結手段を解除して、前記底部の上面をペットの待機場所として利用するものである。
【０００８】
また、請求項４記載のペット用ベッドは、 請求項１又は請求項２記載のペット用ベッドにおいて、側壁部の出入り口に臨む前記側壁部を構成する複数本束ねた端面を出入り口覆い体で覆うものである。
【発明の効果】
【０００９】
請求項１記載のペット用ベッドによれば、藁、い草、縄等の素材を複数本束ねた底部構成体の外周を底部覆い体で、藁、い草、縄等の素材を複数本束ねた天井部構成体の外周を天井部覆い体で、藁、い草、縄等の素材を複数本束ねた側壁部構成体の外周を側壁部覆い体で、それぞれ覆うようにしたため、藁、い草、縄等の素材が外部に対するむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができる。
【００１０】
また、請求項２記載のペット用ベッドによれば、藁、い草、縄等の素材を複数本束ねた底部構成体の外周全体を底部覆い体で、藁、い草、縄等の素材を複数本束ねた天井部構成体の外周全体を天井部覆い体で、藁、い草、縄等の素材を複数本束ねた側壁部構成体の外周全体を側壁部覆い体で、それぞれ覆うようにしたため、藁、い草、縄等の素材が外部のみならず内部に対するむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができる。
【００１１】
また、請求項３記載のペット用ベッドによれば、前述の請求項１又は請求項２記載の発明の効果に加え、底部と側壁部が分離自在な構成であるため、底部と側壁部を分離させて、ペット用ベッドの掃除をし易くし、連結手段により底部と側壁部とを連結してペット用ベッドの機能に加え、連結手段を解除して、底部の上面をペットの待機場所として利用することができる。
【００１２】
また、請求項４記載のペット用ベッドによれば、前述の請求項１又は請求項２記載の発明の効果に加え、側壁部の出入り口に臨む前記側壁部を構成する複数本束ねた端面を出入り口覆い体で覆うため、藁、い草、縄等の素材の側壁部の出入り口に臨む部位がむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができる。
【図面の簡単な説明】
【００１３】
【図１】図１は、本発明の一実施例のペット用ベッドの概略的斜視図である。
【図２】図２は、図１のペット用ベッドを分解して示す概略的分解斜視図である。
【図３】図３（ａ）は、図１の天井部の概略的断面図であり、図３（ｂ）は、図１の側面部の概略的断面図であり、図３（ｃ）は、図１の底部の概略的断面図である。
【図４】図４（ａ）は、図３（ａ）と異なる他の実施例の天井部の概略的断面図であり、図４（ｂ）は、図３（ｂ）と異なる他の実施例の側面部の概略的断面図であり、図４（ｃ）は、図３（ｃ）と異なる他の実施例の底部の概略的断面図である。
【図５】図５は、図１の一部を拡大して示す概略的一部拡大図である。
【図６】図６は、図１のペット用ベッドから底部を分離し、底部の上面をペットの待機場所として利用している状態の概略的斜視図である。
【図７】図７は、図６の底部と異なる他の実施例の底部の概略的斜視図である。
【発明を実施するための最良の形態】
【００１４】
本発明のペット用ベッドの一実施例を図面を参照して説明する。
図１乃至図６において、Ｂはペット用ベッドで、ペット用ベッドＢは、底部１と、天井部２と、この天井部２と底部１との間に位置し、ペットの出入り口３Ａを有する側壁部３とを有する。
【００１５】
ペット用ベッドＢは、底部１、天井部２、側壁部３は、一体的に形成しても良いが、望ましくは、本実施例の図１、図６に示すように、底部１と側壁部３（天井部２と側壁部３とは、一体的に形成）が分離自在な構成とするのが良い。
これは、底部１と側壁部３（天井部２と側壁部３とは、一体的に形成）を分離させて、ペット用ベッドＢの掃除をし易くし、底部１の上面をペット（例えば、猫）の待機場所として利用することができるようにするためである。
なお、底部１と側壁部３とは、連結手段４で着脱自在に連結されている。連結手段４は、例えば、側壁部３に設けた突起等で形成された被係止部４１、この被係止部４１に係止する紐等で形成された係止部４１である。
従って、図１の状態のペット用ベッドＢの連結手段４を解除して、図６に示すように、底部１の上面をペット（例えば、猫）の待機場所として利用することができる。図６に示す５は、座布団等の敷物である。
また、底部１は、図６の形態に限らず、例えば、図７に示すように、周囲に壁６を設けるようにしても良い。
【００１６】
底部１は、図３（ｃ）に示すように、藁、い草、縄等の素材を複数本束ねた底部構成体１０の外周全体を底部覆い体１１で覆うと共に、底部覆い体１１で覆った底部構成体１０を図２に示すように、渦巻き状にして形成する。隣接する底部覆い体１１は、図示しないが、紐、接着剤等で連結される。
これは、藁、い草、縄等の素材が外部のみならず内部に対するむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができるようにするためである。
場合により、図４（ｃ）に示すように、底部覆い体１１が外部に位置する部分だけ底部構成体１０の外周を覆うようにしても良い。このようにしても、藁、い草、縄等の素材が外部に対するむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができる。
【００１７】
天井部２は、図３（ａ）に示すように、藁、い草、縄等の素材を複数本束ねた天井部構成体２０の外周全体を天井部覆い体２１で覆うと共に、天井部覆い体２１で覆った天井部構成体２０を図１に示すように、渦巻き状にして形成する。隣接する天井部覆い体２１は、図示しないが、紐、接着剤等で連結される。図２に示す２２は、取っ手である。
これは、藁、い草、縄等の素材が外部のみならず内部に対するむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができるようにするためである。
場合により、図４（ａ）に示すように、天井部覆い体２１が外部に位置する部分だけ天井部構成体２０の外周を覆うようにしても良い。このようにしても、藁、い草、縄等の素材が外部に対するむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができる。
【００１８】
側壁部３は、図３（ｂ）に示すように、藁、い草、縄等の素材を複数本束ねた側壁部構成体３０の外周全体を側壁部覆い体３１で覆うと共に、側壁部覆い体３１で覆った側壁部構成体３０を図３（ｂ）に示すように、積層状にして形成する。隣接する側壁部覆い体３１は、図５に一部図示する紐３２（紐３２以外の手段としては、例えば、接着剤である。）等で連結される。
これは、藁、い草、縄等の素材が外部のみならず内部に対するむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができるようにするためである。
場合により、図４（ｂ）に示すように、側壁部覆い体３１が外部に位置する部分だけ側壁部構成体３０の外周を覆うようにしても良い。このようにしても、藁、い草、縄等の素材が外部に対するむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができる。
【００１９】
また、図２に示す側壁部３の出入り口３Ａに臨む側壁部３を構成する複数本束ねた端面３Ｂは、出入り口覆い体Ｃで覆われている（図１、図５参照）。Ｃ１は、出入り口覆い体Ｃを側壁部３の出入り口３Ａに取り付ける紐（Ｃ１以外の手段としては、例えば、接着剤である。）である。
このように、側壁部３の出入り口３Ａに臨む側壁部３を構成する複数本束ねた端面３Ｂを出入り口覆い体Ｃで覆うため、藁、い草、縄等の素材の側壁部３の出入り口３Ａに臨む部位がむき出し状態が防止され、液体がかかっても藁、い草、縄等の素材の隙間に直接液体が浸透するのを防ぎ、また、犬、猫等のペットにより、藁、い草、縄等の素材が直接触れることが防止され、藁、い草、縄等の素材を保護することができ長期の使用に耐えることができる。
【００２０】
なお、上述した底部覆い体１１、天井部覆い体２１、側壁部覆い体３１、出入り口覆い体Ｃは、例えば、トウモロコシの皮で形成し、望ましくは、撥水剤を側壁部覆い体３１底部覆い体１１、天井部覆い体２１、側壁部覆い体３１、出入り口覆い体Ｃのそれぞれの表面にコーティンするのが望ましい。
【符号の説明】
【００２１】
Ｂ        ペット用ベッド
１        底部
２        天井部
３        側壁部
１０      底部構成体
１１      底部覆い体
２０      天井部構成体
２１      天井部覆い体
３０      側壁部構成体
３１      側壁部覆い体
【図１】
2015146794.tif 000003
【図２】
2015146794.tif 000004
【図３】
2015146794.tif 000005
【図４】
2015146794.tif 000006
【図５】
2015146794.tif 000007
【図６】
2015146794.tif 000008
【図７】
2015146794.tif 000009